(57)【要約】【課題】半導体装置のバックエンド工程でシリコン窒化膜のストレスを低減させることができるパッド構造を提供すること。【解決手段】半導体基板と、前記半導体基板上に形成される下部構造と、前記下部構造上に形成される第１絶縁膜と、前記第１絶縁膜内の第１金属コンタクトを介して前記下部構造に接続される第１金属層と、前記第１金属層上に形成される第２金属層と、前記第２金属層に形成されたパッド領域の内部に形成される複数の内部ダミーゲートとを備える。【選択図】図４
2005183917.tif 000002
【特許請求の範囲】
【請求項１】
半導体基板と、
前記半導体基板上に形成される下部構造と、
前記下部構造上に形成される第１絶縁膜と、
前記第１絶縁膜内の第１金属コンタクトを介して前記下部構造に接続される第１金属層と、
前記第１金属層上に形成される第２金属層と、
前記第２金属層に形成されたパッド領域の内部に形成される複数の内部ダミーゲートと
を備えることを特徴とする半導体装置。
【請求項２】
前記内部ダミーゲートは複数の同心状の四角形または複数の島状に形成されることを特徴とする請求項１に記載の半導体装置。
【請求項３】
前記内部ダミーゲートと前記パッド領域の縁との水平間隔が０．３ないし３．０μｍであることを特徴とする請求項１に記載の半導体装置。
【請求項４】
前記内部ダミーゲートの幅が０．３ないし３．０μｍであることを特徴とする請求項１に記載の半導体装置
【請求項５】
前記内部ダミーゲート同士の間隔が０．３ないし３．０μｍであることを特徴とする請求項１に記載の半導体装置。
【請求項６】
前記パッド領域の外部に前記パッド領域と一定の間隔をおいて前記パッド領域を覆う外部ダミーゲートをさらに備えることを特徴とする請求項１に記載の半導体装置。
【請求項７】
前記外部ダミーゲートの幅が０．３ないし１．０μｍであることを特徴とする請求項６に記載の半導体装置。
【請求項８】
前記外部ダミーゲートと前記パッド領域との水平間隔が２．０ないし５．０μｍであることを特徴とする請求項６に記載の半導体装置。
【請求項９】
前記パッド領域の外部において、前記外部ダミーゲート上にライン状にエッチングされる第１ダミー金属コンタクトをさらに備えることを特徴とする請求項６に記載の半導体装置。
【請求項１０】
前記第１ダミー金属コンタクトの幅が０．２ないし０．４μｍであることを特徴とする請求項９に記載の半導体装置。
【請求項１１】
前記第１ダミー金属コンタクトが前記外部ダミーゲート上に形成されることを特徴とする請求項９に記載の半導体装置。
【請求項１２】
半導体基板と、
前記半導体基板上に形成される下部構造と、
前記下部構造上に形成される第１絶縁膜と、
前記第１絶縁膜内の第１金属コンタクトを介して前記下部構造に接続される第１金属層と、
前記第１金属層上に形成される第２金属層と、
前記第２金属層に形成されたパッド領域の内部に形成される第１内部ダミー金属層と
を備えることを特徴とする半導体装置。
【請求項１３】
前記第１内部ダミー金属層は網状または複数の同心状の四角形に形成されることを特徴とする請求項１２に記載の半導体装置。
【請求項１４】
前記パッド領域の内部に複数の同心状の四角形または複数の島状に形成される複数の内部ダミーゲートをさらに備えることを特徴とする請求項１２に記載の半導体装置。
【請求項１５】
前記内部ダミーゲートは、前記第１内部ダミー金属層と重ならないことを特徴とする請求項１４に記載の半導体装置。
【請求項１６】
前記内部ダミーゲートは、前記第１内部ダミー金属層と０．５ないし３．０μｍの間隔で離れることを特徴とする請求項１５に記載の半導体装置。
【請求項１７】
前記パッド領域の外部に前記パッド領域と一定の間隔をおいて前記パッド領域を覆う外部ダミーゲートをさらに備えることを特徴とする請求項１２に記載の半導体装置。
【請求項１８】
前記パッド領域の外部において、前記外部ダミーゲート上にライン状に形成される第１ダミー金属コンタクトをさらに備えることを特徴とする請求項１７に記載の半導体装置。
【請求項１９】
前記第１内部ダミー金属層の幅が０．２ないし１．０μｍであることを特徴とする請求項１２に記載の半導体装置。
【請求項２０】
前記第１内部ダミー金属層同士の間隔が２．０ないし５．０μｍであることを特徴とする請求項１２に記載の半導体装置。
【請求項２１】
前記第１内部ダミー金属層の縁が前記パッド領域の縁と垂直方向に整列されることを特徴とする請求項１２に記載の半導体装置。
【請求項２２】
前記第１内部ダミー金属層は前記第２金属層の縁から内側に０．５ないし２．０μｍの間隔をおいて形成されることを特徴とする請求項１２に記載の半導体装置。
【請求項２３】
前記パッド領域の外部において、前記パッド領域をライン状に覆う第１外部ダミー金属層及び前記第１外部ダミー金属層上に形成される第２ダミー金属コンタクトをさらに備えることを特徴とする請求項１８に記載の半導体装置。
【請求項２４】
前記第１外部ダミー金属層の幅が０．５ないし１．０μｍであることを特徴とする請求項２３に記載の半導体装置。
【請求項２５】
前記第２ダミー金属コンタクトの幅が０．２０ないし０．５０μｍであることを特徴とする請求項２３に記載の半導体装置。
【請求項２６】
前記第２ダミー金属コンタクト上に形成される第２ダミー金属層をさらに備え、前記第２ダミー金属層と前記第２金属層との間隔が３．０ないし１０．０μｍであることを特徴とする請求項２３に記載の半導体装置。
【請求項２７】
前記第２ダミー金属層の幅が０．５ないし１．０μｍであることを特徴とする請求項２６に記載の半導体装置。
【請求項２８】
前記第１ダミー金属コンタクト及び前記第２ダミー金属コンタクトの水平間隔が１．０ないし５．０μｍであることを特徴とする請求項２３に記載の半導体装置。
【発明の詳細な説明】
【技術分野】
【０００１】
本発明は半導体装置のバリア絶縁膜に加えられるストレスを和らげることができるパッド構造に関する。
【背景技術】
【０００２】
一般に、シリコンウェーハにより製造されるすべての半導体メモリはいずれもパッド構造を有している。通常、パッド構造はパッシべーション層の一部を第２金属層(Ｍｅｔａｌ−２)などの上部金属層上にオープンさせて上部金属層が露出された構造をいう。このようなパッド構造は、ワイヤボンディングなどの工程により半導体装置に電圧を供給してデータを入出力できるように装置の内部と外部との間に設置された接続手段としての機能をする。このようにパッド構造は半導体装置の製造において考慮されるべき重要な要素の1つである。半導体装置のパッド構造が信頼性に欠けると、そのメモリ装置は用いられなくなる。
【０００３】
パッド構造は次のような条件を満さなければならない。まず、パッド構造はパッドストレスを最小化するように製造されなければならない。パッドストレスはワイヤボンディングの付着力を大きく減少させ、パッドのリフティング(ｌｉｆｔｉｎｇ)問題を引き起こす。また、パッド構造はワイヤボンディング力を最大化するように製造されなければならない。そして、パッド構造はパッドの静電容量(Ｃａｐａｃｉｔａｎｃｅ)を最小化するように製造されなければならない。パッドの静電容量が存在すれば、パッドを介して数ナノ秒(ｎｓ)の速度で入出力されるデータにより装置が劣化するという問題が生じ、ワイヤボンディングができなくなる可能性が高くなる。以下、従来のパッド構造の問題点を図面を参照して詳細に説明する。
【０００４】
図１は従来のＮＡＮＤフラッシュのバックエンド工程(Ｂａｃｋ−ｅｎｄ ｐｒｏｃｅｓｓ)における半導体装置のパッド構造を示す断面図である。図２は図１のパッド構造を備える半導体装置の部分レイアウトである。また、図３は従来の半導体装置のパッド構造において熱的ストレスの影響によるシリコン窒化膜の状態変化を示す図である。
【０００５】
図１を参照すると、従来のＮＡＮＤフラッシュのバックアンド工程におけるパッド構造の断面は半導体基板１０２、フィールド酸化膜１０４、自己整列コンタクト用シリコン窒化膜１０６、第１層間絶縁膜１０８、第１金属層１１０、トレンチ停止シリコン窒化膜１１２、トレンチ用絶縁膜１１４、第２金属コンタクト停止シリコン窒化膜１１６、第２層間絶縁膜１１８及び第２金属層１２０が順に積層される構造を有する。シリコン窒化膜としては、自己整列コンタクト用シリコン窒化膜１０６、トレンチ停止シリコン窒化膜１１２及び第２金属コンタクト停止シリコン窒化膜１１６の３つが採用される。これらのシリコン窒化膜(１０６、１１２及び１１６)はエッチング工程で酸化物と窒化物の選択比を利用してバリア層として用いられる。
【０００６】
また、従来のパッド構造は、図２に示すように、第２金属層１２０の一部を露出させて作るパッド領域(Ｐａｄ Ｒｅｇｉｏｎ；ＰＲ)の内部のみならず、ＰＲの外部全体に亘ってシリコン窒化膜(１０６、１１２または１１６)が接続されてチップ全体を覆う構造を有する。
【０００７】
一方、シリコン窒化膜は上下に形成された層と異なる熱的特性を有する。すなわち、シリコン窒化膜は酸化物やポリシリコン酸化物からなる層と比較して熱的ストレスが非常に高い。例えば、酸化膜ＳｉＯ２の熱的ストレス定数は２〜４×１０^９ ｄｙｎｅ/ｃｍ２であり、シリコン窒化膜Ｓｉ３Ｎ４の熱的ストレス定数は９〜１０×１０^９ ｄｙｎｅ/ｃｍ２であって、Ｓｉ３Ｎ４の熱的ストレス定数はＳｉＯ２と比較して、約２．５ないし４．５倍程度が高い。
【０００８】
こうした熱的ストレスの差異により発生し得る問題には、図３に示すように、熱的ストレスが酸化物からなる下部層(１０４、１０８または１１４)と窒化物からなる上部層(１０６、１１２または１１６)との間でリフティングを引き起こす点がある。もし、Ｓｉ３Ｎ４が第１金属コンタクト、第２金属コンタクト及び第１金属層と接続されている場合、過度なストレスによりＳｉ３Ｎ４がリフティングされると、第１金属コンタクトや第２金属コンタクトまたは第１金属層がオープンされる可能性がある。すなわち、シリコン窒化膜が熱的ストレスに過度に露出される場合、シリコン窒化膜のリフティングを引き起こし、結局、装置の信頼性を大きく低下させるという問題がある。特に、ＮＡＮＤフラッシュメモリ装置において、シリコン窒化膜の熱的特性により問題となるパッドの構造的な部分は、トレンチ停止シリコン窒化膜１１２と第２金属コンタクト停止シリコン窒化膜１１６とが隣接する部分である。したがって、現在ＮＡＮＤフラッシュメモリのバックエンド工程では前記部分のシリコン窒化膜に対するストレス緩和が考慮されなければならないし、それに伴う解決策が求められる。
【発明の開示】
【発明が解決しようとする課題】
【０００９】
本発明は、上記した従来技術の問題点に鑑みてなされたものであって、その目的とするところは、半導体装置のバックエンド工程でシリコン窒化膜のストレスを低減させることができるパッド構造を提供することにある。
【００１０】
また、本発明の他の目的は、半導体装置のパッドの内外部に一体に形成されたシリコン窒化膜をパッドの内外部に隔離させたパッド構造を備えた半導体装置を提供することである。
【課題を解決するための手段】
【００１１】
上記目的を達成するために、本発明に係る半導体装置は、半導体基板と、前記半導体基板上に形成される下部構造と、前記下部構造上に形成される第１絶縁膜と、前記第１絶縁膜内の第１金属コンタクトを介して前記下部構造に接続される第１金属層と、前記第１金属層上に形成される第２金属層と、前記第２金属層に形成されたパッド領域の内部に形成される複数の内部ダミーゲートとを備えることを特徴とする。
【００１２】
好ましくは、前記内部ダミーゲートは複数の同心状の四角形または複数の島状に形成される。
【００１３】
また、前記内部ダミーゲートと前記パッド領域の縁との水平間隔は０．３ないし３．０μｍである。
【００１４】
また、前記内部ダミーゲートの幅は０．３ないし３．０μｍである。
【００１５】
また、前記内部ダミーゲート同士の間隔は０．３ないし３．０μｍである。
【００１６】
また、前記半導体装置は前記パッド領域の外部において、前記パッド領域と一定の間隔をおいて前記パッド領域を覆う外部ダミーゲートをさらに備える。
【００１７】
また、前記外部ダミーゲートの幅は０．３ないし１．０μｍである。
【００１８】
また、前記外部ダミーゲートと前記パッド領域との水平間隔は２．０ないし５．０μｍである。
【００１９】
また前記半導体装置は前記パッド領域の外部において、前記外部ダミーゲート上にライン状にエッチングされる第１ダミー金属コンタクトをさらに備える。
【００２０】
また、前記第１ダミー金属コンタクトの幅は０．２ないし０．４μｍである。
【００２１】
また、前記第１ダミー金属コンタクトが前記外部ダミーゲート上に形成される。
【００２２】
さらに、本発明に係る半導体装置は、半導体基板と、前記半導体基板上に形成される下部構造と、前記下部構造上に形成される第１絶縁膜と、前記第１絶縁膜内の第１金属コンタクトを介して前記下部構造に接続される第１金属層と、前記第１金属層上に形成される第２金属層と、前記第２金属層に形成されたパッド領域の内部に形成される第１内部ダミー金属層とを備えることを特徴とする。
【００２３】
好ましくは、前記第１内部ダミー金属層は網状または複数の同心状の四角形に形成される。
【００２４】
また、前記パッド領域の内部に複数の同心状の四角形または複数の島状に形成される複数の内部ダミーゲートをさらに備える。
【００２５】
また、前記内部ダミーゲートは前記第１内部ダミー金属層と重ならない。
【００２６】
また、前記内部ダミーゲートは前記第１内部ダミー金属層と重ならないとき、０．５ないし３．０μｍの間隔で離れる。
【００２７】
また、前記半導体装置は、前記パッド領域の外部に前記パッド領域と一定の間隔をおいて前記パッド領域を覆う外部ダミーゲートをさらに備える。
【００２８】
また、前記パッド領域の外部において、前記外部ダミーゲート上にライン状に形成される第１ダミー金属コンタクトをさらに備える。
【００２９】
また、前記第１内部ダミー金属層の幅は０．２ないし１．０μｍである。
【００３０】
また、前記第１内部ダミー金属層同士の間隔は２．０ないし５．０μｍである。
【００３１】
前記第１内部ダミー金属層の縁が前記パッド領域の縁と垂直方向に整列される。
【００３２】
また、前記第１内部ダミー金属層は前記第２金属層の縁から内側に０．５ないし２．０μｍの間隔をおいて形成される。
【００３３】
また、前記半導体装置は前記パッド領域の外部において、前記パッド領域をライン状に覆う第１外部ダミー金属層及び前記第１外部ダミー金属層上に形成される第２ダミー金属コンタクトをさらに備える。
【００３４】
また、前記第１外部ダミー金属層の幅は０．５ないし１．０μｍである。
【００３５】
また、前記第２ダミー金属コンタクトの幅は０．２０ないし０．５０μｍである。
【００３６】
また、前記半導体装置は前記第２ダミー金属コンタクト上に形成される第２ダミー金属層をさらに備え、前記第２ダミー金属層と前記第２金属層との間隔が３．０ないし１０．０μｍである。
【００３７】
また、前記第２ダミー金属層の幅は０．５ないし１．０μｍである。
【００３８】
また、前記第１ダミー金属コンタクト及び前記第２ダミー金属コンタクトの水平間隔は１．０ないし５．０μｍである。
【発明の効果】
【００３９】
本発明によれば、半導体装置のパッド領域の内部に内部ダミーゲートとパッド領域の外部に外部ダミーゲート及び第１ダミー金属コンタクトを形成することによって、半導体装置内の自己整列コンタクト用シリコン窒化膜及びトレンチ停止シリコン窒化膜で発生する熱的ストレス及び機械的ストレスを大きく和らげ、半導体装置内のシリコン窒化膜のリフティング問題を除去できる。
【００４０】
また、本発明によれば、半導体装置のパッド領域の内部に半導体装置内のトレンチ停止シリコン窒化膜を複数に分割してパッド領域の内部と外部とに隔離切断する第２ダミー金属層を形成することによって、半導体装置のバックエンド工程でトレンチ停止シリコン窒化膜のストレスを防止し緩衝する。
【００４１】
そして、本発明によれば、半導体装置のパッド領域の周囲に前記パッド領域を覆って、半導体装置のトレンチ停止シリコン窒化膜をパッド領域の内部と外部とに隔離切断する外部第２ダミー金属層を形成することによって、半導体装置のバックエンド工程でトレンチ停止シリコン窒化膜のストレスを防止できる。
【００４２】
さらに、本発明によれば、半導体装置のパッド領域の周囲に前記パッド領域を覆って半導体装置の第２金属コンタクト停止シリコン窒化膜をパッド領域の内部と外部とに隔離切断する第２ダミー金属コンタクトを形成することによって、半導体装置のバックエンド工程で第２金属コンタクト停止シリコン窒化膜のストレスを防止し緩衝することができる。
【００４３】
さらに、本発明によれば、ボンディング工程時にシリコン窒化物で発生するストレスを防止し、和らげるパッド構造を提供することによって、半導体装置の信頼性を向上させることができる。
【発明を実施するための最良の形態】
【００４４】
以下、添付する図面を参照して本発明の好ましい実施の形態を説明する。一方、ある膜が他の膜または半導体基板の「上」にあると記載されている場合、前記ある膜は前記他の膜または半導体基板に直接接触して存在することができ、またはその間に第３の膜が介在することもできる。また、図面における各層の厚さや大きさは説明の便宜上及び明確にするために誇張された部分もある。尚、図における同一要素には同一符号を付している。
【００４５】
図４は本発明の第１の実施の形態に係る絶縁膜のストレスを防止及び緩衝するパッド構造を備えた半導体装置を示す部分断面図である。図５は図４の半導体装置のパッド構造を示すレイアウトである。
【００４６】
第１の実施の形態に示す半導体装置は、半導体基板と、前記半導体基板上に形成される下部構造と、前記下部構造上に形成される第１絶縁膜と、前記第１絶縁膜内の第１金属コンタクトを介して前記下部構造に接続される第１金属層と、前記第１金属層上に形成される第２金属層と、前記第２金属層に形成されたパッド領域の内部に形成される複数の内部ダミーゲートと、を備えることを特徴とする。
【００４７】
図４及び図５を参照すると、本発明の第１の実施の形態に係る半導体装置のパッド構造は半導体基板４０２、フィールド酸化膜４０４、内部ダミーゲート５００、自己整列コンタクト用シリコン窒化膜４０６、第１層間絶縁膜４０８、トレンチ停止シリコン窒化膜４１２、トレンチ用絶縁膜４１４、第２金属コンタクト停止シリコン窒化膜４１６、第２金第２層間絶縁膜４１８、第２金属層４２０及びＰＲがオープンされた保護層４２２が順に積層される構造を有する。
【００４８】
フィールド酸化膜４０４はトランジスタ素子間の干渉を避けるためにトランジスタ素子間に形成される。通常、フィールド酸化膜４０４はＮＭＯＳとＰＭＯＳ領域を区分し、電流を遮断するための隔離層をいう。また、フィールド酸化膜４０４は広い意味で基板に素子が形成されていながら、その表面に酸化膜が形成された半導体基板の所定部分をいう。
【００４９】
内部ダミーゲート５００は能動素子のゲートが形成される工程を通して同時にパッド領域ＰＲの内部のフィールド酸化膜４０４上に形成される。したがって、内部ダミーゲート５００は現在広く用いられるゲートの構造であって、ゲート酸化膜上にポリシリコンが形成され、ポリシリコン上にシリサイドが形成されるポリサイド構造で形成されることができる。
【００５０】
特に、本発明の内部ダミーゲート５００は、図５に示すように、複数の同心状の四角形に形成される。こうした構成により、本発明はパッド領域ＰＲの内部に同心状の四角形の内部ダミーゲート５００を形成することによって、ワイヤボンディングなどの工程を行うとき、パッドに加えられる熱的、機械的ストレスを和らげる。図には示していないが、内部ダミーゲート５００は複数の島状に形成できる。これにより、自己整列コンタクト用シリコン窒化膜４０６は、内部ダミーゲート５００によりエンボス(Ｅｍｂｏｓｓｉｎｇ)状または凹凸状に形成され、このように凹んだ部分で熱的ストレスや機械的ストレスが分散される。
【００５１】
また、内部ダミーゲート５００は、パッド領域ＰＲ下部の最外側の四角形の内部ダミーゲート５００がパッド領域ＰＲの縁から０．３μｍないし３．０μｍ内側に位置するように形成される。このときの間隔は、内部ダミーゲート５００がパッド領域ＰＲの下部まで到る水平間隔を示す。そして、内部ダミーゲート５００の幅は０．３μｍないし３．０μｍに形成され、内部ダミーゲート５００同士の間隔は０．３μｍないし３．０μｍに形成される。内部ダミーゲート５００の位置と幅及び間隔は、パッド構造の高さ、層間材料の構成、パッドの大きさなどにより適切に調節できる。
【００５２】
一方、自己整列コンタクト用シリコン窒化膜４０６、第１層間絶縁膜４０８、トレンチ停止シリコン窒化膜４１２、トレンチ用絶縁膜４１４、第２金属コンタクト停止シリコン窒化膜４１６、第２層間絶縁膜４１８、第２金属層４２０及びパッド領域ＰＲがオープンされた保護層４２２は従来の半導体製造工程と同様の工程により形成される。したがって、本明細書ではこれらに対する詳細な説明は省略する。
【００５３】
このように、本発明では自己整列コンタクト用シリコン窒化膜４０６のストレスを防止し緩衝するために、同心状の四角形及びエンボス状の内部ダミーゲート５００をパッド領域ＰＲの内部の半導体基板４０２上に形成する。このとき、内部ダミーゲート５００は基板４０２上のフィールド酸化膜４０４上に形成されることが好ましい。
【００５４】
図６は本発明の第２の実施の形態に係る絶縁膜ストレスを防止及び緩衝するパッド構造を備えた半導体装置を示す部分断面図である。図７は図６の半導体装置のパッド構造を示すレイアウトである。
【００５５】
図６及び図７を参照すると、本発明の第２の実施の形態に係るパッド構造は、パッド領域ＰＲの内部及び基板４０２上のフィールド酸化膜４０４上で互いに異なる大きさの四角形がそれぞれエンボス状で同心状の四角形構造を有する内部ダミーゲート５００を、図４及び図５と同じ構造で形成されることを含むと同時に、パッド領域ＰＲの外部に形成された外部ダミーゲート６００及び前記外部ダミーゲート６００上に形成された第１ダミー金属コンタクト６１０をさらに含む。
【００５６】
外部ダミーゲート６００は内部ダミーゲート５００と同じ工程で形成される。ただ、外部ダミーゲート６００はパッド領域ＰＲの内部に形成されず、パッド領域ＰＲから所定の距離又は一定の間隔をおいてパッド領域ＰＲを覆うように外部に形成される。第１ダミー金属コンタクト６１０は外部ダミーゲート６００上に形成される。このとき、第１ダミー金属コンタクト６１０は自己整列コンタクト用シリコン窒化膜４０６及びトレンチ停止シリコン窒化膜４１２を切断するように形成される。すなわち、自己整列コンタクト用シリコン窒化膜４０６及びトレンチ停止シリコン窒化膜４１２は、第１ダミー金属コンタクト６１０によりパッド領域ＰＲに隣接する周辺領域と完全に隔離される。
【００５７】
また、外部ダミーゲート６００は０．３μｍないし１．０μｍの幅に形成される。そして、外部ダミーゲート６００はパッド領域ＰＲの内部までの間隔が２．０μｍないし５．０μｍになるように形成される。外部ダミーゲート６００の幅及び位置はパッド構造の高さ、層間材料の構成、パッドの大きさなどにより適切に調節できる。
【００５８】
また、第１ダミー金属コンタクト６１０は０．２μｍないし０．４μｍの幅に形成される。そして、第１ダミー金属コンタクト６１０は、外部ダミーゲート６００上にライン状にエッチングして形成され、同時にパッド領域ＰＲを外部で覆うように形成される。また、第１ダミー金属コンタクト６１０は外部ダミーゲート６００の上部でオープンされる。このような第１ダミー金属コンタクト６１０の構成により、自己整列コンタクト用シリコン窒化膜４０６及びトレンチ停止シリコン窒化膜４１２はパッド領域ＰＲの内部と外部とに完全に分離されるように切断される。
【００５９】
このように、本発明では自己整列コンタクト用シリコン窒化膜４０６及びトレンチ停止シリコン窒化膜４１２のストレスを防止し緩衝するために、同心状の四角形の内部ダミーゲート５００をパッド領域ＰＲの内部に形成し、パッド領域ＰＲを覆うパッド領域ＰＲの外部の隣接部分に外部ゲートダミー６００及び第１ダミー金属コンタクト６１０を形成する。
【００６０】
このような構成を有する第１ダミー金属コンタクト６１０により自己整列コンタクト用シリコン窒化膜４０６及びトレンチ停止シリコン窒化膜４１２は切断される。すなわち、自己整列コンタクト用シリコン窒化膜４０６及びトレンチ停止シリコン窒化膜４１２は、パッド領域ＰＲの内部と外部とに完全に分離される。したがって、パッド領域ＰＲの内外部に形成された窒化膜(４０６及び４１２)に加えられる熱的ストレス及び機械的ストレスは、パッド領域ＰＲの外部の第１ダミー金属コンタクト６１０により遮断され、パッド領域ＰＲの内外部にストレスが伝達されない。このように、本発明ではパッド領域ＰＲの内部の内部ダミーゲート５００とパッド領域ＰＲの外部の外部ダミーゲート６００及び第１ダミー金属コンタクト６１０とを利用して、自己整列コンタクト用シリコン窒化膜４０６及びトレンチ停止シリコン窒化膜４１２で発生するストレスを防止し緩衝する。
【００６１】
図８は本発明の第３の実施の形態に係る絶縁膜ストレスを防止及び緩衝するパッド構造を備えた半導体装置を示す部分断面図である。
【００６２】
本実施形態の半導体装置は、半導体基板と、前記半導体基板上に形成される下部構造と、前記下部構造上に形成される第１絶縁膜と、前記第１絶縁膜内の第１金属コンタクトを介して前記下部構造に接続される第１金属層と、前記第１金属層上に形成される第２金属層と、前記第２金属層に形成されたパッド領域の内部に形成される第１内部ダミー金属層と、を備えることを特徴とする。
【００６３】
図８を参照すると、本発明の第３の実施の形態に係るパッド構造は上述した第２の実施の形態に係るパッド構造において、パッド領域ＰＲの内部に形成される第１内部ダミー金属層８００を備えることを特徴とする。第１内部ダミー金属層８００は、横方向と縦方向に直交する複数の第１内部ダミー金属層８００により網状に形成されるか、同心状の四角形に形成される。このような第１内部ダミー金属層８００の構成によりトレンチ停止シリコン窒化膜４１２は複数に分離される。網状は第１内部ダミー金属層８００の形態によって三角形、四角形または他の多角形になることができる。
【００６４】
第１内部ダミー金属層８００は従来の第１金属層を形成する工程を通して形成される。ただ、第１内部ダミー金属層８００はパッド領域ＰＲの内部に形成される。また、第１内部ダミー金属層８００は能動素子などが形成されていないフィールド酸化膜４０４上に形成される。第１内部ダミー金属層８００は、０．２μｍないし１．０μｍの幅に形成される。第１内部ダミー金属層８００の間隔は２．０μｍないし５．０μｍである。そして、第１内部ダミー金属層８００の網は横方向または縦方向に５ないし２０個の四角形または三角形に形成される。第１内部ダミー金属層８００の縁はパッド領域ＰＲの縁と平行に垂直方向で一列に整列されることができる。このような第１内部ダミー金属層８００の構成はトレンチ停止シリコン窒化膜４１２を複数に効果的に分離してパッド領域ＰＲに加えられる熱的ストレス及び機械的ストレスを防止し、和らげるためのものであって、パッドの幅、パッド構造の構成などにより適切に変更できる。
【００６５】
このように、本発明ではトレンチ停止シリコン窒化膜４１２のストレスを防止し緩衝するために、パッド領域ＰＲの内部に網状または同心状の四角形に第１内部ダミー金属層８００を形成する。第１内部ダミー金属層８００はパッド領域ＰＲの内部でトレンチ停止シリコン窒化膜４１２を複数に切断する。また、トレンチ停止シリコン窒化膜４１２はパッド領域ＰＲの内部と外部のシリコン窒化膜とに完全に隔離される。このようなトレンチ停止シリコン窒化膜４１２の構成により装置の他の領域に形成されたトレンチ停止シリコン窒化膜４１２にストレスが伝達されることを防止して緩衝する。
【００６６】
また、本発明の第１内部ダミー金属層８００は上述した第１の実施の形態の内部ダミーゲート５００と第２の実施の形態の外部ダミーゲート６００及び第１ダミー金属コンタクト６１０と共に形成されて半導体装置全体の自己整列コンタクト用シリコン窒化膜４０６及びトレンチ停止シリコン窒化膜４１２の熱的ストレス及び機械的ストレスを防止し、緩衝できる。
【００６７】
一方、第１内部ダミー金属層８００は内部ダミーゲート５００の上部側に形成されるが、第１内部ダミー金属層８００と内部ダミーゲート５００との間に寄生キャパシタンスが発生することを防止するために、第１内部ダミー金属層８００を同心状の四角形に形成する場合、内部ダミーゲート５００を同心状の四角形に形成し、第１内部ダミー金属層８００が内部ダミーゲート５００の間に位置するように、すなわち、上下に重ならないように形成することが好ましい。また、第１内部ダミー金属層８００を網状に形成する場合、内部ダミーゲート５００を複数の島状に形成し、それぞれの島状の内部ダミーゲート５００が網中に挿入されるようにして重ならないように形成することが好ましい。このとき、内部ダミーゲート５００と第１内部ダミー金属層８００との間の間隔は０．５μｍないし３．０μｍが適切である。また、第１内部ダミー金属層８００は、第２金属層４２０の縁から内側に０．５ないし２．０μｍの間隔をおいて形成される。
【００６８】
図９は本発明の第４の実施の形態に係る絶縁膜のストレスを防止及び緩衝するパッド構造を備えた半導体装置を示す部分断面図である。
【００６９】
図９を参照すると、本発明の第４の実施の形態に係る半導体装置のパッド構造は、第３の実施の形態の第１内部ダミー金属層８００と共にパッド領域ＰＲの外部に形成された第１外部ダミー金属層９００及び前記第１外部ダミー金属層９００上に形成された第２ダミー金属コンタクト９１０を備える。そして、本発明の第４の実施の形態に係る半導体装置のパッド構造は第２ダミー金属コンタクト９１０上に形成された第２ダミー金属層９２０をさらに備えることができる。第２ダミー金属層９２０はパッド領域ＰＲの外部でフィールド酸化膜４０４上に形成される。また、本発明の第４の実施の形態に係る半導体装置のパッド構造は、第１の実施の形態の同心状の四角形の内部ダミーゲート５００を備えることができる。また、本発明の第４の実施の形態に係る半導体装置のパッド構造は、第２の実施の形態における外部ダミーゲート６００及び前記外部ダミーゲート６００上に形成された第１ダミー金属コンタクト６１０を備えることができる。
【００７０】
第１外部ダミー金属層９００は、第１内部ダミー金属層８００と類似の半導体製造工程を通して第１内部ダミー金属層８００と同時に形成される。第１外部ダミー金属層９００はパッド領域ＰＲを覆って０．５μｍないし１．０μｍの幅に形成される。
【００７１】
第２ダミー金属コンタクト９１０は、第１外部ダミー金属層９００上にライン状に形成される。第２ダミー金属コンタクト９１０は０．２μｍないし０．５μｍの幅に形成される。また、第２ダミー金属コンタクト９１０は第２金属コンタクト停止シリコン窒化膜４１６を貫通して形成される。したがって、半導体装置内の第２金属コンタクト停止シリコン窒化膜４１６は、第２ダミー金属コンタクト９１０によりパッド領域ＰＲの内部と外部の窒化膜とに完全に隔離されて切断される。一方、本発明に係る第１ダミー金属コンタクト６１０が形成されている場合、第２ダミー金属コンタクト９１０は第１ダミー金属コンタクト６１０と１．０μｍないし５．０μｍの間隔をおいて形成される。
【００７２】
第２ダミー金属層９２０は、第２ダミー金属コンタクト９１０上にライン状に形成される。第２ダミー金属層９２０は、第２ダミー金属コンタクト９１０を支持するために形成される。第２ダミー金属層９２０は、０．５μｍないし１．０μｍの幅に形成される。また、第２ダミー金属層９２０と半導体装置内の隣接する第２金属層４２０と間の間隔は３．０μｍないし１０．０μｍである。
【００７３】
このように、本発明では第２金属コンタクト停止シリコン窒化膜４１６のストレスを防止し緩衝するために、パッド領域ＰＲの周囲を覆うライン状の第２ダミー金属コンタクト９１０を形成する。第２ダミー金属コンタクト９１０はパッド領域ＰＲの外部で第２金属コンタクト停止シリコン窒化膜４１６を切断する。したがって、半導体装置内の第２金属コンタクト停止シリコン窒化膜４１６は、パッド領域ＰＲの内部と外部のシリコン窒化膜とに完全に隔離されて切断される。前記過程により、パッド領域ＰＲを通して第２金属コンタクト停止シリコン窒化膜４１６に伝達された熱的、機械的ストレスは実質的に半導体装置内の第２金属コンタクト停止シリコン窒化膜４１６でストレスが発生しない。
【００７４】
尚、本発明は、上記した本実施の形態に限られるものではなく、本発明の技術的思想から逸脱しない範囲内で多様に変更して実施することが可能である。
【図面の簡単な説明】
【００７５】
【図１】従来のＮＡＮＤフラッシュのバックエンド工程における半導体装置のパッド構造を示す断面図である。
【図２】図１のパッド構造を備えた半導体装置の部分レイアウトである。
【図３】従来の半導体装置のパッド構造において熱的ストレスの影響によるシリコン窒化膜の状態変化を示す図面である。
【図４】本発明の第１の実施の形態に係る絶縁膜ストレスを防止及び緩衝するパッド構造を備えた半導体装置を示す部分断面図である。
【図５】図４の半導体装置のパッド構造を示すレイアウトである。
【図６】本発明の第２の実施の形態に係る絶縁膜ストレスを防止及び緩衝するパッド構造を備えた半導体装置を示す部分断面図である。
【図７】図６の半導体装置のパッド構造を示すレイアウトである。
【図８】本発明の第３の実施の形態に係る絶縁膜ストレスを防止及び緩衝するパッド構造を備えた半導体装置を示す部分断面図である。
【図９】本発明の第４の実施の形態に係る絶縁膜ストレスを防止及び緩衝するパッド構造を備えた半導体装置を示す部分断面図である。
【符号の説明】
【００７６】
１０２、４０２  半導体基板
１０４、４０４  フィールド酸化膜
１０６、４０６  自己整列コンタクト用シリコン窒化膜
１０８、４０８  第１層間絶縁膜
１１０  第１金属層
１１２、４１２  トレンチ停止シリコン窒化膜
１１４、４１４  トレンチ用絶縁膜
１１６、４１６  第２金属コンタクト停止シリコン窒化膜
１１８、４１８  第２層間絶縁膜
１２０、４２０  第２金属層
ＰＲ  パッド領域
４２２  保護層
５００  内部ダミーゲート
６００  外部ダミーゲート
６１０  第１ダミー金属コンタクト
８００  第１内部ダミー金属層
９００  第１外部ダミー金属層
９１０  第２ダミー金属コンタクト
９２０  第２ダミー金属層
【図１】
2005183917.tif 000003
【図２】
2005183917.tif 000004
【図３】
2005183917.tif 000005
【図４】
2005183917.tif 000006
【図５】
2005183917.tif 000007
【図６】
2005183917.tif 000008
【図７】
2005183917.tif 000009
【図８】
2005183917.tif 000010
【図９】
2005183917.tif 000011